【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
改善された腐食特性を有する含酸素ガソリン組成物であって、ガソリンブレンドストックと、約１〜約８５ｖ／ｖ％のオキシジェネートまたはそれらの混合物と、ある量の１種類以上の腐食防止剤とを含み、前記量が約１ｐｔｂ〜約５０ｐｔｂであり、前記１種類以上の腐食防止剤が約０．１〜約３の酸／アミン当量比を有し、
前記１種類以上の腐食防止剤が、少なくとも１種類のアルキルまたはアルケニルカルボン酸を含み、そして場合により１種類以上の付着制御添加剤をさらに含む、
上記含酸素ガソリン組成物。
【請求項２】
前記アルキルまたはアルケニルカルボン酸がアルケニルコハク酸である、請求項１に記載の含酸素ガソリン組成物。
【請求項３】
前記１種類以上の腐食防止剤が、少なくとも１種類のアルキルまたはアルケニルカルボン酸と少なくとも１種類のアミンとの少なくとも１種類の反応生成物を含む、請求項１に記載の含酸素ガソリン組成物。
【請求項４】
前記アミンが：
脂肪アミン；
第１級エーテルアミン；
式（Ｒ1）3Ｃ−ＮＨ2（式中、Ｒ1は独立して、１〜約２４個の炭素原子を含有するヒドロカルビル基である）、または式Ｒ1−Ｃ（Ｒ2）−ＮＨ2（Ｒ1は、１〜約２４個の炭素原子を含有するヒドロカルビル基であり、Ｒ2は、１〜約１２個の炭素原子を含有する二価のヒドロカルビレン基である）で表される第３級アルキル第１級アミンであり、そして好ましくはＲ2がアルキレン基である；
ポリアミン；  または
式ＮＨ2（ＣＨ2）ｎ−ＮＨ−（ＣＨ2）ｍ−Ｏ−Ｒ（式中、ｎおよびｍは独立して１〜約１０であり、ＲはＣ1〜Ｃ18である）で表される少なくとも１種類のエーテルジアミンであるか、もしくは式ＲＯＣＨ2ＣＨ2ＣＨ2ＮＨＣＨ2ＣＨ2ＣＨ2ＮＨ2（式中、ＲはＣ3〜Ｃ18である）で表される前記エーテルジアミン；
である、請求項３に記載の含酸素ガソリン組成物。
【請求項５】
前記脂肪アミンが、ｎ−オクチルアミン、ｎ−デシルアミン、ｎ−ドデシルアミン、ｎ−テトラデシルアミン、ｎ−ヘキサデシルアミン、ｎ−オクタデシルアミン、ステアリルアミン、オレイアミン、タローアミン、ココアミン、およびソヤアミンからなる群から選択される少なくとも１種類であり；
前記第１級エーテルアミンが、デシルオキシプロピルアミン、直鎖Ｃ−１６エーテルアミン、およびトリデシルオキシプロピルアミン、イソヘキシルオキシプロピルアミン、２−エチルヘキシルオキシプロピルアミン、オクチル／デシルオキシプロピルアミン、イソデシルオキシプロピルアミン、イソドデシルオキシプロピルアミン、イソトリデシルオキシプロピルアミン、およびＣ12〜15アルキルオキシプロピルアミンからなる群から選択される少なくとも１種類であり；
前記第３級アルキル第１級アミンが、ｔｅｒｔ−ブチルアミン、ｔｅｒｔ−ヘキシルアミン、１−メチル−１−アミノ−シクロヘキサン、ｔｅｒｔ−オクチルアミン、ｔｅｒｔ−デシルアミン、ｔｅｒｔ−ドデシルアミン、ｔｅｒｔ−テトラデシルアミン、ｔｅｒｔ−ヘキサデシルアミン、ｔｅｒｔ−オクタデシルアミン、ｔｅｒｔ−テトラコサニルアミン、およびｔｅｒｔ−オクタコサニルアミンからなる群から選択される少なくとも１種類であり；
前記ポリアミンが、脂肪ジアミンであり、そして前記脂肪ジアミンが、Ｎ−オクチルジアミノアルカン、Ｎ−デシルジアミノアルカン、Ｎ−ドデシルジアミノアルカン、Ｎ−テトラデシルジアミノアルカン、Ｎ−ヘキサデシルジアミノアルカン、Ｎ−オクタデシルジアミノアルカン、Ｎ−ステアリルジアミノアルカン、Ｎ−オレイルジアミノアルカン、Ｎ−タロージアミノアルカン、Ｎ−ココイルジアミノアルカン、およびＮ−ソヤジアミノアルカンからなる群から選択される少なくとも１種類であるか、もしくは前記脂肪ジアミンが、Ｎ−ココ−１，３−ジアミノプロパン、Ｎ−ソヤ−１，３−ジアミノプロパン、Ｎ−タロー−１，３−ジアミノプロパン、およびＮ−オレイル−１，３−ジアミノプロパンからなる群から選択される少なくとも１種類であるか；または
前記ポリアミンが、Ｎ−（２−ヒドロキシエチル）エチレンジアミン、Ｎ，Ｎ’−ビス（２−ヒドロキシエチル）エチレンジアミン、１−（２−ヒドロキシエチル）ピペラジン、モノ（ヒドロキシプロピル）置換テトラエチレン−ペンタミン、およびＮ−（３−ヒドロキシブチル）テトラメチレンジアミンからなる群から選択される少なくとも１種類のヒドロキシ含有ポリアミンであるか；または
前記ポリアミンが、メチレンポリアミン類、エチレンポリアミン類、ブチレンポリアミン類、プロピレンポリアミン類、ペンチレンポリアミン類、ピペラジン類、およびＮ−（アミノアルキル）置換ピペラジン類からなる群から選択される少なくとも１種類のアルキレンポリアミン類であるか；または
前記ポリアミンが、ジエタノールアミン、トリエタノールアミン、トリ−（ヒドロキシプロピル）アミン、トリス−（ヒドロキシメチル）アミノメタン、２−アミノ−２−メチル−１，３−プロパンジオール、Ｎ，Ｎ，Ｎ’，Ｎ’−テトラキス（２−ヒドロキシプロピル）エチレンジアミン、およびＮ，Ｎ，Ｎ’，Ｎ’−テトラキス（２−ヒドロキシエチル）エチレンジアミンからなる群から選択される１種類以上のポリヒドリックアミンであり；
前記エーテルジアミンが、イソデシルオキシプロピル−１，３−ジアミノプロパン、イソドデシルオキシプロピル−１，３−ジアミノプロパン、およびイソトリデシルオキシプロピル−１，３−ジアミノプロパンからなる群から選択される、
請求項４に記載の含酸素ガソリン組成物。
【請求項６】
前記第１級エーテルアミンが式Ｒ1（ＯＲ2）ｎ−ＮＨ2（式中、Ｒ1は、約１〜約２０個の炭素原子を有するヒドロカルビル基であり、Ｒ2は、約２〜約６個の炭素原子を有する二価のアルキレン基であり；ｎは、１〜約１０の数である）で表される、請求項４に記載
の含酸素ガソリン組成物。
【請求項７】
前記アミンが式Ｒ1−ＮＨ−（ＣＨ）n−ＮＨ2（式中、Ｒ1は、１〜約２４個の炭素原子を含有するヒドロカルビル基であり、ｎは１〜約２０である）で表されるか、または前記アミンが、ジシクロヘキシルアミンおよびＮ，Ｎ−ジメチルシクロヘキシルアミンからなる群から選択される少なくとも１種類である、請求項３に記載の含酸素ガソリン組成物。
【請求項８】
前記ポリアミンが、ポリオキシアルキレンジアミンおよびポリオキシアルキレントリアミンからなる群から選択される少なくとも１種類である、請求項４に記載の含酸素ガソリン組成物。
【請求項９】
前記アルキレンポリアミン類が、エチレンジアミン、トリエチレンテトラミン、トリス−（２−アミノエチル）アミン、プロピレンジアミン、トリメチレンジアミン、トリプロピレンテトラミン、トリエチレンテトラアミン、テトラエチレンペンタミン、ヘキサエチレンヘプタミン、およびペンタエチレンヘキサミンからなる群から選択される、請求項５に記載の含酸素ガソリン組成物。
【請求項１０】
前記少なくとも１種類のオキシジェネートまたはそれらの混合物が、メタノール、エタノール、プロパノール、ブタノール、ペンタノール、ヘキサノール、ヘプタノール、オクタノール、ケトン類、エステル類、およびそれらの混合物からなる群から選択される、請求項１〜９のいずれか一項に記載の含酸素ガソリン組成物。
【請求項１１】
１０ｖ／ｖ％以下のエタノール、２０ｖ／ｖ％以下のエタノール、または３０ｖ／ｖ％以下のエタノールを含む、請求項１０に記載の含酸素ガソリン組成物。
【請求項１２】
１０ｖ／ｖ％以下のブタノール、２０ｖ／ｖ％以下のブタノール、３０ｖ／ｖ％以下のブタノール、または４０ｖ／ｖ％以下のブタノールを含む、請求項１０に記載の含酸素ガソリン組成物。
【請求項１３】
約１６ｖ／ｖ％のイソブタノールまたは約２４ｖ／ｖ％のイソブタノールを含む、請求項１０に記載の含酸素ガソリン組成物。
【請求項１４】
体積基準で約５〜６５ｖ／ｖ％のエタノールおよび約５〜５０ｖ／ｖ％のブタノールを含む、請求項１０に記載の含酸素ガソリン組成物。
【請求項１５】
前記オキシジェネートが少なくとも５％の再生可能成分を含み、そして前記再生可能成分が、生物学的に誘導されたエタノール、生物学的に誘導されたブタノール、またはそれらの混合物を含む、請求項１０に記載の含酸素ガソリン組成物。
【請求項１６】
内燃機関および燃料インフラシステムにおける腐食を軽減する方法であって、請求項１〜１５のいずれか１項に記載の含酸素ガソリン組成物を含む燃料組成物を用いて、前記内燃機関または前記燃料インフラシステムを動作させるステップを含む、上記方法。